(57)【特許請求の範囲】
【請求項１】
エンブレムを取り付け可能なエンブレム取付座がラジエターグリルと一体に形成されたラジエターグリルへの車載カメラ取付方法であって、
前記エンブレム取付座の下部から前記ラジエターグリルの下部にかけて前記車載カメラ取付用の開口部を後加工し、
前記エンブレム取付座の外面と前記開口部を覆うと共に前記エンブレムを取り付け可能なフィニッシャの前記ラジエターグリルの開口部を覆う部分に形成された孔からレンズを覗かせた状態で前記フィニッシャの車両後方側から前記車載カメラを取り付け、
前記フィニッシャを前記エンブレム取付座に取り付け、
前記フィニッシャに前記エンブレムを取り付けることを特徴とするラジエターグリルへの車載カメラ取付方法。
【請求項２】
エンブレムを取り付け可能なエンブレム取付座がラジエターグリルと一体に形成されたラジエターグリルへの車載カメラ取付構造であって、
前記エンブレム取付座の下部から前記ラジエターグリルの下部にかけて前記車載カメラ取付用の開口部が形成され、
前記エンブレム取付座の外面と前記開口部を覆うと共に前記エンブレムを取り付け可能なフィニッシャが設けられ、このフィニッシャの前記ラジエターグリルの開口部を覆う部分にレンズ配設孔が形成され、このレンズ配設孔からレンズを覗かせた状態で前記フィニッシャにこのフィニッシャの車両後方側から前記車載カメラが取り付けられ、
前記フィニッシャが前記エンブレム取付座に取り付けられ、
前記フィニッシャに前記エンブレムが取り付けられていることを特徴とするラジエターグリルへの車載カメラ取付構造。
【請求項３】
前記フィニッシャの車両後方側に車載カメラが取り付けられた車載カメラ取付用ブラケットが配置され、
前記フィニッシャには、フィニッシャの裏面から車両後方側に突出して一体に成形された複数の位置決め用ボスと複数の取付用ボスとが形成され、前記車載カメラ取り付け用ブラケットには複数の位置決め用ボス孔が形成され、前記位置決め用ボスに対し前記位置決め用ボス孔を装着した状態で、前記複数の取付用ボスに対し前記車載カメラ取付用ブラケットをねじ止めすることにより前記フィニッシャに対し前記車載カメラが取り付けられていることを特徴とする請求項２に記載のラジエターグリルへの車載カメラ取付構造。
【請求項４】
前記エンブレム取付座には、ねじ挿通孔が形成され、このねじ挿通孔に挿通されるねじによって前記フィニッシャが前記エンブレム取付座に取り付けられていることを特徴とする請求項２または３に記載のラジエターグリルへの車載カメラ取付構造。
【請求項５】
前記ラジエターグリルの車両後方側から当てたフィニッシャ取付用ブラケットと前記フィニッシャとの間に前記エンブレム取付座を挟んだ状態で該フィニッシャ取付用ブラケットとフィニッシャとの間をねじ結合することにより前記車載カメラが取り付けられた前記フィニッシャが前記ラジエターグリルに対して取り付けられるように構成されていることを特徴とする請求項２〜４のいずれか一項に記載のラジエターグリルへの車載カメラ取付構造。
【請求項６】
前記エンブレム取付座に設定されたエンブレム取り付け用差し込み係合孔に前記フィニッシャに一体に形成された位置決め用リブを差し込むことにより前記エンブレム取付座に対する前記フィニッシャの位置決めがなされるように構成されていることを特徴とする請求項２〜５のいずれか一項に記載のラジエターグリルへの車載カメラ取付構造。
【発明の詳細な説明】
【技術分野】
【０００１】
本発明は、エンブレムを取り付け可能なエンブレム取付座が一体に形成されたラジエターグリルへの車載カメラ取付方法及びラジエターグリルへの車載カメラ取付構造に関する。
【背景技術】
【０００２】
従来より、ラジエターグリルにカメラを設置し、車載ナビゲーションシステムと連動し、運転席に設けられた画面に車両前方の死角を表示することで、運転席から容易に視認できるようにした装置が知られている（例えば、特許文献１参照）。
【特許文献１】特開２００５−１９９８３７号公報
【発明の開示】
【発明が解決しようとする課題】
【０００３】
しかしながら、既存ラジエターグリル本体にカメラを取り付けるには、既存ラジエターグリルの成形型改造規模が大きく、カメラを設置しないタイプと設置するタイプの２種類の成形型が必要で、コストが高く付くという問題があった。
【０００４】
本発明は、上述のような従来の問題点に着目して成されたもので、１種類の成形型による１種類のラジエターグリルでカメラを設置しないタイプと設置するタイプのラジエターグリルとして共用することができ、これにより、コストの低減化が可能なラジエターグリルへの車載カメラ取付構造を提供することを目的としている。
【課題を解決するための手段】
【０００５】
上述の目的を達成するために、本願請求項１に記載のラジエターグリルへの車載カメラ取付方法は、エンブレム取付座の下部から前記ラジエターグリルの下部にかけて前記車載カメラ取付用の開口部を後加工し、前記エンブレム取付座の外面と前記開口部を覆うと共に前記エンブレムを取り付け可能なフィニッシャの前記ラジエターグリルの開口部を覆う部分に形成された孔からレンズを覗かせた状態で前記フィニッシャの車両後方側から前記車載カメラを取り付け、前記フィニッシャを前記エンブレム取付座に取り付け、前記フィニッシャに前記エンブレムを取り付けることを特徴とする手段とした。
【０００６】
本願請求項２に記載のラジエターグリルへの車載カメラ取付構造は、エンブレムを取り付け可能なエンブレム取付座がラジエターグリルと一体に形成されたラジエターグリルへの車載カメラ取付構造であって、前記エンブレム取付座の下部から前記ラジエターグリルの下部にかけて前記車載カメラ取付用の開口部が形成され、前記エンブレム取付座の外面と前記開口部を覆うと共に前記エンブレムを取り付け可能なフィニッシャが設けられ、このフィニッシャの前記ラジエターグリルの開口部を覆う部分にレンズ配設孔が形成され、このレンズ配設孔からレンズを覗かせた状態で前記フィニッシャにこのフィニッシャの車両後方側から前記車載カメラが取り付けられ、前記フィニッシャが前記エンブレム取付座に取り付けられ、前記フィニッシャに前記エンブレムが取り付けられていることを特徴とする手段とした。
【発明の効果】
【０００７】
本発明のラジエターグリルへの車載カメラ取付構造では、上述のように、エンブレム取付座の下部からラジエターグリルの下部にかけて車載カメラ取付用の開口部を後加工し、エンブレム取付座の外面と開口部を覆うと共にエンブレムを取付可能なフィニッシャのラジエターグリルの開口部を覆う部分に形成された孔からレンズを覗かせた状態で車両後方側から車載カメラを取り付け、フィニッシャをエンブレム取付座に取り付け、フィニッシャにエンブレムを取り付けるようにしたことで、ラジエターグリルにカメラを設置することができるだけでなく、ラジエターグリルに車載カメラ取付用の開口部を後加工することなしに、エンブレム取付座に対しエンブレムを付けることで、カメラを設置しないタイプにも対応させることができる。
【０００８】
従って、１種類の成形型による１種類のラジエターグリルでカメラを設置しないタイプと設置するタイプのラジエターグリルとして共用することができ、これにより、コストの低減化が可能になるという効果が得られる。
【発明を実施するための最良の形態】
【０００９】
以下に、本発明の実施例を図面に基づいて説明する。
【実施例１】
【００１０】
この実施例のラジエターグリルへの車載カメラ取付方法及び取付構造は、請求項１〜６に記載の発明に対応する。
【００１１】
図１はこの実施例のラジエターグリルへの車載カメラ取付構造を示す車両前方からの分解斜視図、図２はフィニッシャに対する車載カメラの取り付け構造を部分を示す分解斜視図、図３は実施例のラジエターグリルへの車載カメラ取付構造を示す要部の正面図、図４は図３のＡ−Ａ線における断面図、図５は図３のＢ−Ｂ線における断面図、図６は図３のＣ−Ｃ線における断面図、図７は図３のＤ−Ｄ線における断面図である。
【００１２】
この実施例のラジエターグリルへの車載カメラ取付構造は、ラジエターグリル１と、フィニッシャ２と、車載カメラ３と、車載カメラ取り付け用ブラケット４と、フィニッシャ取付用ブラケット５と、エンブレム６と、を備えている。
【００１３】
さらに詳述すると、図１、２に示すように、上記ラジエターグリル１はその車両前面中央部にエンブレム６を取り付け可能なエンブレム取付座１１が樹脂で一体に成形されている。即ち、このエンブレム取付座１１の左右及び上下４カ所には上記エンブレム６の取り付け面側６ａに備えた各係合爪６１（図４、５参照）を差し込んで弾性係合させる係合孔１１ａが備えられている。
【００１４】
この係合孔１１ａはラジエターグリル１の樹脂成形時には左右及び上下４カ所に備えられているが、車載カメラ取付用の開口部１２を後加工すると、下方の係合孔部分が切り取られた状態になる。
【００１５】
上記フィニッシャ２は、エンブレム取付座１１の外面１１ｄを車両前方側から覆う本体部２１と、該エンブレム取付座１１の下部１１ｃからラジエターグリル１の下部１ａに位置する後述の横桟１３の一部にかけて、ラジエターグリル１の成形後の後加工によって切り取られて形成された車載カメラ取付用の開口部１２を覆うカメラ取付部２２とが一体に形成され、上記本体部２１の車両前方面２１ｃに上記エンブレム６が取り付けられると共に、上記カメラ取付部２２の裏面となる車両後方面２２ｂに上記車載カメラ３が取り付けられるようになっている。そして、図４、５にも係合状態を示すように、本体部２１の左右及び上下４カ所にエンブレム６の取り付け面側６ａに備えた係合爪６１を差し込んで弾性係合させる係合孔２１ａ、及び、左右と上の３カ所にエンブレム取付座１１に対する位置決め用リブ２１ｂが備えられている。
【００１６】
カメラ取付用ブラケット４には、複数、すなわち、２つの位置決め用ボス孔４１が形成されている。上記位置決め用ボス２３に対し位置決め用ボス孔４１が挿入され、装着した状態で上記取り付け用ボス２４に対し車載カメラ取付用ブラケット４をねじ止めすることにより、上記フィニッシャ２に対して車載カメラ３が取り付けられている。
【００１７】
この車載カメラ３は、図２、４に示すように、上記車載カメラ取付用ブラケット４に組み付けられていて、この車載カメラ取付用ブラケット４をフィニッシャ２のカメラ取付部２２の車両後方面２２ｂに取り付けている。このように取り付けることにより、フィニッシャ２のラジエターグリル１の開口部１２を覆う部分、すなわち、カメラ取付部２２に形成されたレンズ配設孔２２ａからレンズ３１を覗かせた状態で車載カメラ３が取り付けられるようになっている。
【００１８】
そして、図２、４、６に示すように、フィニッシャ２の車両後方側に車載カメラ３が取り付けられた車載カメラ取付用ブラケット４が配置されている。
【００１９】
また、フィニッシャ２には、フィニッシャ２の裏面となる車両後方面、すなわち、フィニッシャ２の本体部２１の車両後方面２１ｄとカメラ取付部２２の車両後方面２２ｂから、それぞれ車両後方側に突出して一体に成形された複数、すなわち、２本の位置決め用ボス２３と、複数、すなわち、３カ所に取付用ボス２４が形成されている。
【００２０】
一方、このようにして、車載カメラ３がフィニッシャ２の車両後方側からフィニッシャ２に取り付けられている。さらに、フィニッシャ２に対する車載カメラ取付用ブラケット４の取り付けを詳しく述べると、図２、４、６に示すように、フィニッシャ２に一体に樹脂成形された上下２本の位置決め用ボス２３を車載カメラ取り付け用ブラケット４に形成された位置決め用ボス孔４１に差し込み装着した状態で、フィニッシャ２に形成された３カ所の取付用ボス２４に対し車載カメラ取付用ブラケット４をねじ４２でねじ止めすることによりフィニッシャ２に対し車載カメラ３が位置決めされた状態で取り付けられるようになっている。
【００２１】
なお、３本のねじ４２のうちの１本は、図４に示すように、フィニッシャ２をエンブレム取付座１１に取り付ける際に、フィニッシャ取付用ブラケット５とフィニッシャ２に形成された取付用ボス２４との間に車載カメラ取付用ブラケット４を挟んでフィニッシャ取付用ブラケット５に、フィニッシャ２と車載カメラ取付用ブラケット４をねじ４２で共締めすることにより、フィニッシャ２と車載カメラ取付用ブラケット４とフィニッシャ取付用ブラケット５の三者を一体にねじ結合させるようになっている。
【００２２】
以上のように車載カメラ３が取り付けられたフィニッシャ２には、図１、４、５、７に示すように、該フィニッシャ２に車体後方に突出して形成された左右と下の３カ所に取付用ボス２５が一体に設けられている。
【００２３】
このフィニッシャ２に形成された取付用ボス２５のうちの左右２カ所については、エンブレム取付座１１の左右２カ所に後加工により形成されたねじ挿通孔１１ｂに挿通されたねじ２６を介してエンブレム取付座１１に取り付けられている。
【００２４】
また、図１に一点鎖線で示されているように、前記取付用ボス２５の残りの下１カ所については直接にフィニッシャ取付用ブラケット５に対してねじ２６で取り付けられている。即ち、この実施例では、ラジエターグリル１の車両後方側から当てた上記フィニッシャ取付用ブラケット５とフィニッシャ２との間にエンブレム取付座１１を挟んだ状態で該フィニッシャ取付用ブラケット５とフィニッシャ２との間をねじ結合することにより車載カメラ３が取り付けられたフィニッシャ２がラジエターグリル１に対して取り付けられるようになっている。
【００２５】
また、図１、２、５に示すように、エンブレム取付座１１に設定されたエンブレム取り付け用差し込み係合孔１１ａにフィニッシャ２に一体に形成された位置決め用リブ２１ｂを差し込むことによりエンブレム取付座１１に対するフィニッシャ２の位置決めがなされるように構成されている。
【００２６】
以上のようにして、フィニッシャ２がエンブレム取付座１１に取り付けられ、フィニッシャ２にエンブレム６が取り付けられている。
【００２７】
また、上記エンブレム６は、リング状に形成された円形部６ｂと、この円形部６ｂの中央を車幅方向い横断して円形部６ｂの外に突出し、上下方向に所定の幅を有するプレート状に形成された矩形部６ｃとから形成されている。
【００２８】
また、上記エンブレム６は、所定の板厚を有し、角に丸味をもって形成されている。
【００２９】
また、上記エンブレム取付座１１及び上記フィニッシャ２は、エンブレム６の円形部６ｂ、矩形部６ｃの正面形状に略一致した正面形状を成している。
【００３０】
一方、上記ラジエターグリル１は、上枠部１５ａ、側枠部１５ｂ、１５ｃ、下枠部１５ｄから略四角形状の枠１５に形成され、枠１５内に、車幅方向に延在する横桟１３と、上下方向に延在する縦桟１４とが、枠１と一体に形成され、横桟１３と横桟１３、縦桟１４と縦桟１４と、枠１５と横桟１３、枠１５と縦桟１４のそれぞれの間は、間隔を置いて格子状に設けられている。この間隔が空気取入口１６を形成している。
【００３１】
また、１ｂは、上枠部１５ａから車両後方に向かって延在したラジエターグリル１の車体取付部であり、下枠部１５ｄにも車体取付部（図示せず）が形成されている。
【００３２】
上記横桟１３は、上記エンブレム取付座１１の外周面１１ｅと接し、一体に形成され、横桟３の側断面が略Ｕ字状に形成されている。
【００３３】
上記フィニッシャ２の本体部２１は、エンブレム取付座１１の外周面１１ｅと車両前方面１１ｆから成る外面１１ｄを、車両前方側から覆うように車両前方面１１ｆ側を底とする有底の円筒形状に形成されている。
【００３４】
フィニッシャ２の本体部２１及びカメラ取付部２２には、それぞれ側壁２１ｆ、２２ｃが形成され、この側壁２１ｆ、２２ｃには上記横桟１３の表面１３ａの形状に一致し、略Ｕ字形をした切欠部２１ｅ、２２ｄが形成されている。
【００３５】
この切欠部２１ｅ、２２ｄは、フィニッシャ２をエンブレム取付座１１へ取り付ける時に、横桟１３に嵌る。
【００３６】
このように、フィニッシャ２の本体部２１、カメラ取付部２２の側壁２１ｆ、２２ｃに切欠部２１ｅ、２２ｄが形成されているため、ラジエターグリル１に横桟１３が設けられていても、容易かつ見栄え良くフィニッシャ２をエンブレム取付座１１に取り付けることができる。これにより、車載カメラ３も容易かつ見栄え良くラジエターグリル１に設けることができる。
【００３７】
次に、実施例の作用・効果について説明する。
【００３８】
この実施例のラジエターグリルへの車載カメラ取付方法及び取付構造では、上述のように、エンブレム取付座１１の下部１１ｃからラジエターグリル１の下部にかけて車載カメラ取付用の開口部１２を後加工して切り取り、エンブレム取付座１１の外面１１ｄと開口部１２を覆うと共にエンブレム６を取付可能なフィニッシャ２のラジエターグリル２の開口部１２を覆う部分に形成されたレンズ配置孔２２ａからレンズ３１を覗かせた状態で車両後方側から車載カメラ３を取り付け、フィニッシャ２をエンブレム取付座１１に取り付け、フィニッシャ２にエンブレム６を取り付けるようにしたことで、ラジエターグリル１にカメラを設置することができるだけでなく、エンブレム取付座１１にはエンブレム６の取り付け面側６ａに備えた各係合爪６１を差し込んで弾性係合させる係合孔１１ａが備えられているため、ラジエターグリル１に車載カメラ取付用の開口部１２を後加工することなしに、エンブレム取付座１１に対しエンブレム６を付けることで、カメラを設置しないタイプにも対応させることができる。
【００３９】
従って、１種類の成形型による１種類のラジエターグリル１でカメラを設置しないタイプと設置するタイプのラジエターグリル１として共用することができ、これにより、コストの低減を図ることが可能になるという効果が得られる。
【００４０】
また、フィニッシャ２がエンブレム取付座１１の外面１１ｄを覆うことで、デザイン性を悪化させることもない。
【００４１】
また、ラジエターグリル１の開口部１２を覆うカメラ取付部２２に形成されたレンズ配設孔２２ａからレンズ３１を覗かせた状態で車載カメラ３が取り付けられる構成としたことで、車載カメラ３をラジエターグリル１の先方に張り出させて良好な視認性を確保できると共に、フィニッシャ２のカメラ取付部２２に形成された孔２２ａから車載カメラ３のレンズ３１が見えているだけであるため、見栄えをよくすることができるようになる。
【００４２】
また、フィニッシャ２に一体に樹脂成形された上下２本の位置決め用ボス２３を車載カメラ取り付け用ブラケット４に形成された位置決め用ボス孔４１に差し込み装着した状態で、フィニッシャ２に形成された３カ所の取付用ボス２４に対し車載カメラ取付用ブラケット４をねじ４２でねじ止めすることによりフィニッシャ２に対し車載カメラ３を位置決めした状態で取り付けることができ、これにより、フィニッシャ２に対する車載カメラ３の取付精度の向上が図れるようになる。
【００４３】
また、車載カメラ３が取り付けられたフィニッシャ２は、エンブレム取付座１１の左右２カ所に後加工されたねじ挿通孔１１ｂを介して該エンブレム取付座１１に取り付けられることにより、ラジエターグリル１に車載カメラ３を組み付けた状態で工場の車両組み付けラインに供給することができるようになる。
【００４４】
また、ラジエターグリル１の車両後方側から当てたフィニッシャ取付用ブラケット５とフィニッシャ２との間にエンブレム取付座１１を挟んだ状態で該フィニッシャ取付用ブラケット５とフィニッシャ２との間をねじ結合することにより車載カメラ３が取り付けられたフィニッシャ２をラジエターグリル１に対して取り付けるようにしたことで、ラジエターグリル１に対する車載カメラ３が組み込まれたフィニッシャ２の取付強度を高めることができるようになる。
【００４５】
また、エンブレム取付座１１に設定されたエンブレム取り付け用差し込み係合孔１１ａにフィニッシャ２に一体に形成された位置決め用リブ２１ｂを差し込むことによりエンブレム取付座１１に対するフィニッシャ２の位置決めがなされるようにしたことで、エンブレム取付座１１に対する車載カメラ３の取付精度の向上が図れるようになる。
【００４６】
以上、本発明の実施例を図面に基づき説明してきたが、本発明は上述の実施例に限られるものではなく、本発明の要旨を逸脱しない範囲の設計変更等があっても、本発明に含まれる。
【００４７】
例えば、実施例では、ラジエターグリル１の車両後方側から当てたフィニッシャ取付用ブラケット５とフィニッシャ２との間にエンブレム取付座１１を挟んだ状態で該フィニッシャ取付用ブラケット５とフィニッシャ２との間をねじ結合することにより車載カメラ３が取り付けられたフィニッシャ２をラジエターグリル１に対して取り付けるようにしたが、フィニッシャ２をエンブレム取付座１１に対し直接ねじ結合させるようにしてもよい。
【００４８】
また、実施例では、車載カメラ３が取り付けられたフィニッシャ２取り付けのために、エンブレム取付座１１の左右２カ所にねじ挿通孔１１ｂを後加工するようにしたが、このねじ挿通孔１１ｂ部分はエンブレム６で隠れるため、ラジエターグリル１の成形時に開けておいてもよい。
【００４９】
また、実施例では、エンブレム取付座１１の下部１１ｃからラジエターグリル１の下部１ａに位置する横桟１３の一部にかけてラジエターグリル１成形後の後加工によって切り取ることにより車載カメラ取付用の開口部１２を形成していたが、ラジエターグリル１の成形時に、車載カメラ取付用の開口部１２を開けた形状にしておいても良い。この場合、車載カメラ３を取り付けない車両では、フィニッシャ２のカメラ取付部２２に相当する箇所に、ラジエターグリル１の横桟１３を形成したフィニッシャ２を準備しておく。そして、この横桟１３が形成されたフィニッシャ２をエンブレム取付座１１に取り付ける。この取り付けの際、カメラ取付部２２に相当する箇所に形成した横桟１３を、車載カメラ取付用の開口部１２の外側に形成されている横桟１３に一致させて取り付ける。このようにすることで、横桟１３を車幅方向に連続一体に見せることができる。
【００５０】
なお、車載カメラ３を取り付ける車両では、実施例のように取り付ける。この場合は、車載カメラ３を取り付けない車両も、取り付ける車両も、開口部１２が開いたラジエターグリル１を用いるので、ラジエターグリル１の成形型も１つの型で対応できる。
【００５１】
また、実施例では、フィニッシャ２を有底の円筒形状としたが、これは、エンブレム６がリング状に形成されているためで、エンブレムの形状に合わせて、フィニッシャ２の形状が変わるものである。
【００５２】
また、エンブレムの形状と異なるエンブレム取付座が形成されている場合は、このエンブレム取付座の形状に合わせたフィニッシャ２の形状としても良い。
【図面の簡単な説明】
【００５３】
【図１】実施例のラジエターグリルへの車載カメラ取付構造を示す車両前方からの分解斜視図である。
【図２】フィニッシャに対する車載カメラの取り付け構造を部分を示す分解斜視図である。
【図３】実施例のラジエターグリルへの車載カメラ取付構造を示す要部の正面図である。
【図４】図３のＡ−Ａ線における断面図である。
【図５】図３のＢ−Ｂ線における断面図である。
【図６】図３のＣ−Ｃ線における断面図である。
【図７】図３のＤ−Ｄ線における断面図である。
【符号の説明】
【００５４】
１  ラジエターグリル
１ａ  下部
１ｂ  車体取付部
１１  エンブレム取付座
１１ａ  係合孔
１１ｂ  挿通孔
１１ｃ  下部
１１ｄ  外面
１１ｅ  外周面
１１ｆ  車両前方面
１２  開口部
１３  横桟
１３ａ  表面
１４  縦桟
１５  枠
１５ａ  上枠部
１５ｂ  側枠部
１５ｃ  側枠部
１５ｄ  下枠部
２  フィニッシャ
２１  本体部
２１ａ  係合孔
２１ｂ  位置決め用リブ
２１ｃ  車両前方面
２１ｄ  車両後方面
２１ｅ  切欠部
２１ｆ  側壁
２２  カメラ取付部
２２ａ  孔
２２ｂ  車両後方面
２２ｃ  側壁
２２ｄ  切欠部
２３  位置決め用ボス
２４  取付用ボス
２５  取付用ボス
２６  ねじ
３  車載カメラ
３１  レンズ
４  車載カメラ取付用ブラケット
４１  ボス孔
４２  ねじ
５  フィニッシャ取付用ブラケット
６  エンブレム
６ａ  取り付け面側
６ｂ  円形部
６ｃ  矩形部
６１  係合爪
【図１】
0005186866.tif 000002
【図２】
0005186866.tif 000003
【図３】
0005186866.tif 000004
【図４】
0005186866.tif 000005
【図５】
0005186866.tif 000006
【図６】
0005186866.tif 000007
【図７】
0005186866.tif 000008